【手続補正書】
【提出日】平成17年6月23日(2005.6.23)
【手続補正１】
【補正対象書類名】明細書
【補正対象項目名】全文
【補正方法】変更
【補正の内容】
【書類名】      明細書
【発明の名称】  遊技機
【特許請求の範囲】
【請求項１】
ホッパーユニットを有する筐体と、リールユニットを有する交換ユニットが装着された分離型筐体の遊技機において、
前記交換ユニットの背面に取り付けられ、前記交換ユニットに供給される電源を受けるための電源端子板と、
前記筐体の内部に設けられ、前記交換ユニットに電源を供給するための電源供給端子板と、
前記電源端子板と前記電源供給端子板とのそれぞれに設けられた絶縁部材と、
前記電源端子板に設けられ、前記絶縁部材上に互いに離隔して配置された複数の第１の接点と、
前記電源供給端子板に設けられ、前記絶縁部材上に配置された複数の第２の接点とを備え、
前記交換ユニットを前記筐体に装着すると、前記第１の接点と前記第２の接点とが接触することを特徴とする遊技機。
【請求項２】
前記電源端子板の前記絶縁部材は、各々の前記第１の接点の間に配置された溝を備え、
前記電源供給端子板の前記絶縁部材は、各々の前記第２の接点を互いに離隔する突起部を備えて、
前記交換ユニットを前記筐体に装着すると、前記突起部が前記溝に嵌り込むことを特徴とする請求項１記載の遊技機。
【請求項３】
前記第１の接点は略くの字形状に折り曲げられた板バネからなり、
前記第２の接点は前記板バネと対面する平板の導体板からなり、
前記板バネを各々の溝の間に並べて配置するとともに、前記導体板を各々の前記突起部の間に並べて配置し、
前記突起部は、その突出方向及び前記導体板の配列方向に直交する方向の長さが前記導体板の長さよりも長く、かつ前記導電板の板厚よりもその突出量が大きいことを特徴とする請求項２記載の遊技機。
【請求項４】
前記第１の接点は、その端縁が前記絶縁部材から突出する導体板からなり、
前記第２の接点は、それぞれの端縁が前記絶縁部材から突出し、かつ互いが対面する一対の板バネからなり、
前記導体板を各々の溝の間に並べて配置するとともに、前記板バネを各々の前記突起部の間に並べて配置し、
前記交換ユニットを前記筐体に装着すると、前記板バネは前記導体板を板厚方向から挟み込み、
前記突起部は、その突出方向及び前記板バネの配列方向と直交する方向の長さが前記導体板の長さよりも長く、かつ前記導電板の板厚よりもその突出量が大きいことを特徴とする請求項２記載の遊技機。
【請求項５】
前記第１の接点は円筒形の第１導体からなり、
前記第１導体は、その内部に設けられた絶縁体に前記円筒の略中心を通るように固定された棒状の第２導体を備え、
前記第２の接点は、外径が前記第１導体の内径と略同一な円筒形の第３導体からなり、
前記第３導体は、その外壁を覆う外部導体と内壁を覆う内部導体とを備え、
前記交換ユニットを前記筐体に装着すると前記第１導体内に前記第３導体が挿入されて、前記外部導体が前記第１導体の内壁に内接し、前記内部導体が前記第２導体の外壁に外接することを特徴とする請求項１記載の遊技機。
【発明の詳細な説明】
【０００１】
【発明の属する技術分野】
この発明は、筐体からメインユニット（以下、「上ユニット」と記す）を分離可能な分離型筐体をもつ遊技機における前記上ユニットへの電源供給手法に関する。詳しくは、ケーブルを用いることなく電源を供給することのできる遊技機に関する。
【０００２】
【従来の技術】
スロットマシン等の遊技機は、遊技者が所定の枚数のメダルを遊技機に投入してゲームを楽しむことができる。遊技に必要なメダルは、遊技ホール内に設けられたメダル貸機等で借りることができ、所望の遊技機のメダル投入口に投入することによりゲームを開始することができる。
【０００３】
図７は、スロットマシンの正面の一例を示す。
【０００４】
スロットマシン１０で遊技を楽しもうとする遊技者は、まずメダル貸機（図示しない）等から遊技媒体であるメダルを借り、メダル投入装置のメダル投入口１００（１枚づつメダルを投入するものと複数のメダルを同時に投入できるものとがある。図に示されているものは後者のものであるが前者のものであってもよい）に直接メダルを入れることができる。スロットマシン１０は、四角箱状の筐体１１を有する。前記筐体１１の中央部及び上部には、遊技者側に向かって臨む四角窓状の表示窓１２が形成されている。そして、この中央部の表示窓１２の中央には、三個の回転リール４３〜４５と第４リール４６からなる回転リール４０の各図柄６１を見ることができる図柄表示窓１３が形成されている。ベットスイッチ１６は、回転リール４０の下方に位置するスイッチであって、貯留メダル数を減じてメダル投入に代える。精算スイッチ１７は、回転リールの斜め下方に位置するスイッチであって、貯留した投入メダルを払い出す。スタートスイッチ３０は回転リール４０の斜め下方に位置するレバーであって、遊技メダルの投入若しくはベットスイッチ１６の操作を条件に、リールユニット６０の駆動を開始させる。ストップスイッチ５０は、リールユニット６０の駆動を停止させるためのものである。ストップスイッチ５０は回転リール４３〜４５ごとに合計３つ設けられている。リールユニット６０は、三個の回転リール４３〜４５から構成されている。そして、各回転リール４３〜４５は、合成樹脂からなる回転ドラムと、この回転ドラムの周囲に貼付されるテープ状のリールテープ４２とを備えている。このリールテープ４２の外周面には、複数個（例えば２１個）の図柄６１が表示されている。
【０００５】
スロットマシン１０には、メダル投入口１００から投入されるメダルを受けてこれを送り出す図示しないメダル投入装置の本体、送り出されたメダルを受けて正しいメダルかどうか判別する図示しないメダルセレクタ及びスロットマシン１０内に貯留されたメダルを払い出すためのメダル払い出しホッパー装置を備える。
【０００６】
メダルセレクタは、筐体の前扉の裏面においてメダル投入装置のメダル排出側に設けられている。メダルセレクタは排出されたメダルの通過を検出しながら、メダルをホッパー装置に向かって転動させ、外径が所定寸法と違う異径メダルや、鉄又は鉄合金で作製された不正メダルを選別して排除するとともに、１ゲームあたりに投入可能な所定枚数以上のメダルを選別して排除するための装置である。メダルセレクタの下側には、その下部側を覆って下皿に連通する導出路が設けられている。メダルセレクタにより振り分けられたメダルは、この導出路を介して下皿から遊技者に返却される。メダルセレクタは、メダルセレクタ本体と、投入されたメダルをメダルセレクタ内に導くメダル投入部と、メダルセレクタから排出されるメダルをホッパー装置に向かって排出するメダル排出部と、メダルセレクタから下皿にメダルを返却するメダル返却部とを備えている。
【０００７】
筐体の内部には、その内底面に固定され、内部に複数のメダルを貯留して、貯留したメダルをメダル払い出し口に１枚ずつ払い出すためのホッパー装置が設置されている。
【０００８】
スロットマシンの筐体１１は図７に示すようなものであるが、近年、その一部を着脱可能とした分離型筐体のスロットマシンが開発された。すなわち、図８に示すように筐体１１の上ユニットの部分１１ａが筐体本体から容易に取り外し及び取り付けができる。筐体１１の内部に図示しない１組のレールが設けられ、これに上ユニット（交換ユニット）１１ａが載置される。上ユニット１１ａを引き出すときは上ユニット１１ａのロックを外し、上ユニット１１ａを持ち上げつつ手前に引き出すことにより、上ユニットを筐体１１本体から分離することができる。筐体１１は据え置きになる筐体部分である。
【０００９】
図９は分離型筐体のスロットマシンのブロック図である。上ユニット１１ａには回転リール４３〜４５を収納するリールユニット１０３や、リールの回転や演出、払い出しを制御するメイン基板１０１及びサブ基板１０２が取り付けられている。筐体１１には電源ユニット１１０、ホッパーユニット１１１、メダルセレクタ１１２、スイッチ類１１３が取り付けられている。各ユニットはメイン基板から制御信号を受ける。メイン基板、サブ基板、リールユニットは電源ユニットから電源の供給を受ける。これら信号や電源の伝達のために筐体１１にはコネクタブラケット１１５が設けられ、これにコネクタ１１４が取り付けられている。これに上ユニット１１ａからのケーブル１０４のコネクタ１０５が勘合する。
【００１０】
分離型筐体には、演出等を変更する場合に筐体１１全体ではなくその一部である上ユニット１１ａのみ交換するだけで済み、費用や労力が軽減されるというメリットがある。これに対し、従来は筐体全体を交換しなければならなかった。
【００１１】
【発明が解決しようとする課題】
従来の分離型筐体には、据え置きになる筐体部分１１と着脱可能な上ユニット１１ａがあり、上ユニット１１ａに電源を供給するためにケーブル１０４を使用していたため、その交換に時間と労力がかかっていた。また、上ユニット１１ａだけを生産する工程において動作チェックのたびに電源ケーブルを接続して確認しなければならず、このことが直接的に生産性向上の妨げになるとともに、治具側のコネクタの耐久性に不安が残ることが問題になっていた。生産台数が多いと１週間程度で治具側のコネクタの交換が必要になることも予想され、生産性の点で問題であった。
【００１２】
そこで、本発明は、上ユニットを筐体に装着するときにケーブルを介さずに規定の位置になったときに自動的に接触する電源端子を上ユニットに設けることによって、ケーブル接続の煩わしさを解消するとともに、生産性を向上することを目的とする。
【００１３】
【課題を解決するための手段】
この発明に係る遊技機は、ホッパーユニットを有する筐体と、リールユニットを有する交換ユニットが装着された分離型筐体の遊技機において、前記交換ユニットの背面に取り付けられ、前記交換ユニットに供給される電源を受けるための電源端子板と、前記筐体の内部に設けられ、前記交換ユニットに電源を供給するための電源供給端子板と、前記電源端子板と前記電源供給端子板とのそれぞれに設けられた絶縁部材と、前記電源端子板に設けられ、前記絶縁部材上に互いに離隔して配置された複数の第１の接点と、前記電源供給端子板に設けられ、前記絶縁部材上に配置された複数の第２の接点とを備え、前記交換ユニットを前記筐体に装着すると、前記第１の接点と前記第２の接点とが接触するものである。
【００１４】
好ましくは、前記電源端子板の前記絶縁部材は、各々の前記第１の接点の間に配置された溝を備え、前記電源供給端子板の前記絶縁部材は、各々の前記第２の接点を互いに離隔する突起部を備えて、前記交換ユニットを前記筐体に装着すると、前記突起部が前記溝に嵌り込む。
【００１５】
好ましくは、前記第１の接点は略くの字形状に折り曲げられた板バネからなり、前記第２の接点は前記板バネと対面する平板の導体板からなり、前記板バネを各々の溝の間に並べて配置するとともに、前記導体板を各々の前記突起部の間に並べて配置し、前記突起部は、その突出方向と直交し、かつ前記導体板の配列方向に直交する方向の長さが前記導体板の長さよりも長く、かつ前記導電板の板厚よりもその突出量が大きい。
【００１６】
好ましくは、前記第１の接点は、その端縁が前記絶縁部材から突出する導体板からなり、前記第２の接点は、それぞれの端縁が前記絶縁部材から突出し、かつ互いが対面する一対の板バネからなり、前記導体板を各々の溝の間に並べて配置するとともに、前記板バネを各々の前記突起部の間に並べて配置し、前記交換ユニットを前記筐体に装着すると、前記板バネは前記導体板を板厚方向から挟み込み、前記突起部は、その突出方向と直交し、かつ前記板バネの配列方向と直交する方向の長さが前記導体板の長さよりも長く、かつ前記導電板の板厚よりもその突出量が大きい。
【００１７】
好ましくは、前記第１の接点は円筒形の第１導体からなり、前記第１導体は、その内部に設けられた絶縁体に前記円筒の略中心を通るように固定された棒状の第２導体を備え、前記第２の接点は、外径が前記第１導体の内径と略同一な円筒形の第３導体からなり、前記第３導体は、その外壁を覆う外部導体と内壁を覆う内部導体とを備え、前記交換ユニットを前記筐体に装着すると前記第１導体内に前記第３導体が挿入されて、前記外部導体が前記第１導体の内壁に内接し、前記内部導体が前記第２導体の外壁に外接する。
【００１８】
好ましくは、据え置きされる筐体に脱着可能なユニットが装着されてなる分離型筐体の遊技機において、前記ユニットの背面にその内部の機器用の電源を受けるための電源端子板を設け、前記電源端子板は、絶縁部材と、前記絶縁部材上に互いに離隔して配置された複数の第１の接点とを備えた遊技機のユニットの検査治具であって、検査のために前記ユニットが治具に装着されたときの前記電源端子板の位置に対応する部分に前記ユニットに電源を供給するための電源供給端子板を設け、前記電源供給端子板は、絶縁部材と、前記絶縁部材上に配置された複数の第２の接点とを備え、前記ユニットの装着状態において、前記電源供給端子板の複数の第２の接点は前記電源端子板の複数の第１の接点とそれぞれ接触されるものである。
【００１９】
【発明の実施の形態】
発明の実施の形態１．
【００２０】
この発明の実施の形態を図面を参照して説明する。
【００２１】
図１は発明の実施の形態１に係る遊技機のブロック図である。図２は電源端子１０６と電源供給端子板１１６の嵌合の説明図である。図３は電源端子１０６と電源供給端子板１１６の詳細図である。
【００２２】
この遊技機は、据え置きされる筐体１１に脱着可能な上ユニット１１ａが装着されてなる分離型筐体の遊技機である。分離型筐体には、演出等を変更する場合に筐体１１全体ではなくその一部である上ユニット１１ａのみ交換するだけで済み、費用や労力が軽減されるというメリットがある。
【００２３】
図１及び図２に示すように、上ユニット１１ａの背面に、従来のケーブルとコネクタに代えて電源端子板１０６が固定されている。これに対応して、コネクタブラケット１１５には電源供給端子板が設けられている。電源供給端子板の取り付け位置は重要である。すなわち、上ユニット１１ａが筐体１１に装着されたときの電源端子板１０６の位置にぴったりと合わせて電源供給端子板を設けなければならない。図２において、矢印の方向へ上ユニット１１ａが筐体に設けられたレール上を挿入されていったとき、上ユニット１１ａが筐体１１にしっかりと装着された状態で、電源端子板１０６と電源供給端子板１１６はしっかりと嵌合する。
【００２４】
図３に示すように、電源端子板１０６は、ブロック状のプラスチック等の絶縁部材１０６ａの上に互いに離隔して配置された複数の接点１０６ｂとを備えるものである。図３において接点の数は４つであるがこれに限定されないのは言うまでもない。接点１０６ｂは弾性部材であり、図３では断面が略くの字型の板ばねが用いられている。板ばねの代わりに線ばねやコイルスプリングなどを用いることもできる。複数の接点１０６ｂの間の絶縁部材１０６ａには溝が設けられている。
【００２５】
電源供給端子板１１６は、板状のプラスチック等の絶縁部材１１６ａと、絶縁部材１１６ａ上に配置された複数の導電板１１６ｂとを備えるものである。図３において導電板（電極）の数は４つであるがこれに限定されないのは言うまでもない。導電板１１６ｂの間にはそれぞれ突起部１１６ｃを備える。突起部１１６ｃは絶縁部材１１６ａと一体成形あるいは別部品を取り付けることにより構成される。導電板１１６ｂは平板であり、突起部１１６ｃは導体板１１６ｂの長さ方向（図３において上下方向）の全体にわたって設けられ、その高さは前記導電板よりも高い。
【００２６】
上ユニット１１ａの装着状態において、電源供給端子板１１６の複数の導電板１１６ｂは電源端子板１０６の複数の接点１０６ｂとそれぞれ接触されるとともに、電源供給端子板１１６の突起部１１６ｃは、電源端子板１０６の溝１０６ｃにしっかりと嵌り込む。
【００２７】
発明の実施の形態１によれば、上ユニット１１ａ側に板ばね状の電源端子１０６ｂを必要数並べ、ガイドとなる溝１０６ｃを設けた電源端子板（端子ホルダー）１０６を装着するとともに、筐体側（裏箱）１１には電源ボックスから供給される平坦な電源供給端子１１６ｂとガイド溝１０６ｃに入る突起部（ガイドリブ）１１６ｃを必要数設ける。筐体１１に上ユニット１１ａを規定の位置に装着挿入しようとすると、ガイドリブ１１６ｃとガイド溝１０６ｃが嵌合され、その後、板ばね状の電源端子１０６ｂと平坦な電源供給端子１１６ｂが接触し、上ユニット１１ａに電源が供給される。したがって、ケーブルを接続しなくても上ユニット１１ａを装着することだけで電源を供給するできるようになる。電源を供給する筐体１１側にガイドリブ１１６ｃを設けることでメダルなどによる端子間のショートを防ぐことができる。
【００２８】
接点の形態として図４に示すものも利用できる。同図（ａ）は電源端子板１０６と電源供給端子板１１６の斜視図を示し（この図においては説明の便宜上、電源供給端子板１１６の左端を切除している）、同図（ｂ）は端子の詳細を示す上面図である。接点１０６ｄは導体板であり絶縁部材１０６ａより突出している。接点１１６ｄは２つの弾性部材からなる。この弾性部材の先端近傍には突起部を設けている。この突起部において電気的接続が確実になされる。ユニットの装着状態において、弾性部材１１６ｄは接点１０６ｄを両側から挟み込み、電気的に導通する。
【００２９】
接点の形態として図５に示すものも利用できる。同図（ａ）は電源端子板１０６と電源供給端子板１１６の斜視図を示し（この図においては説明の便宜上、電源供給端子板１１６の左端を切除している）、同図（ｂ）は端子の詳細を示す断面図である。電源端子１０６の接点１０６ｅは、円筒形の第１導体１０６ｅ−１と、前記第１導体の内部に絶縁して設けられた棒状の第２導体１０６ｅ−２と、第２導体１０６ｅ−２を保持するとともに第１導体１０６ｅ−１と第２導体１０６ｅ−２とを絶縁するための絶縁体１０６ｅ−３とを備える。電源供給端子１１６の接点は、それぞれ円筒形で同心の外部導体１１６ｅ−１と、内部導体１１６ｅ−２と、両者を絶縁する絶縁体１１６ｅ−３とを備える。ユニットの装着状態において、接点１１６ｅは接点１０６ｅに嵌合し、この状態で外部導体１１６ｅ−１は第１導体１０６ｅ−１に内接し電気的に接続され、内部導体１１６ｅ−２は第２導体１０６ｅ−２に外接し電気的に接続される。図５において接点１０６ｅは絶縁部材１０６ａ内部に埋め込まれ、接点１１６ｅは絶縁部材１１６ａから突出されている。この関係を逆にしてもよい。あるいは両方の接点を突出させてもよい。
発明の実施の形態２．
【００３０】
この発明の実施の形態２を図６を参照して説明する。
【００３１】
発明の実施の形態２の装置は、前記ユニット１１ａの検査装置である。前述のように、ユニット１１ａの背面にその内部の機器用の電源を受けるために、図３に示した電源端子板１０６が設けられている。
【００３２】
検査のためにユニット１１ａが治具２００に装着されたとき、その電源端子板１０６の位置に対応する部分に電源供給端子板２１６が設けられている。電源供給端子板２１６は図３に示した電源供給端子板１１６と同等のものである。すなわち、ユニット１１ａの装着状態において、電源供給端子板２１６の複数の導電板は電源端子板１０６の複数の接点とそれぞれ接触されるとともに、電源供給端子板２１６の突起部は、電源端子板１０６の溝に嵌り込む。
【００３３】
発明の実施の形態２の治具によれば、製造ラインでの上ユニットのみの完成品の動作確認が簡単に行える。
【００３４】
発明の実施の形態２においても、図４及び図５の接点を利用することができる。
【００３５】
本発明は、以上の実施の形態に限定されることなく、特許請求の範囲に記載された発明の範囲内で、種々の変更が可能であり、それらも本発明の範囲内に包含されるものであることは言うまでもない。
【００３６】
【発明の効果】
本発明によれば、分離型筐体の遊技機において、交換ユニット側に電源端子板を、筐体側に電源供給端子板を設け、これらが電気的に接触するとともに、機械的にしっかりと嵌合するようにしたので、ユニットを筐体に装着するときの電源ケーブルが不要となり、ケーブル接続の煩わしさを解消するとともに、生産性を向上することができる。
【図面の簡単な説明】
【図１】発明の実施の形態１に係る遊技機のブロック図である。
【図２】発明の実施の形態１に係る遊技機のユニットの電源端子と筐体の電源供給端子板の嵌合の説明図である。
【図３】発明の実施の形態１に係る電源端子と電源供給端子板の詳細図である。
【図４】発明の実施の形態１に係る電源端子と電源供給端子板の他の例である。
【図５】発明の実施の形態１に係る電源端子と電源供給端子板の他の例である。
【図６】発明の実施の形態２に係る遊技機ユニットの検査治具のブロック図である。
【図７】遊技機（スロットマシン）の正面図である。
【図８】分離型筐体の説明図である。
【図９】従来の分離型筐体に係る遊技機のブロック図である。
【符号の説明】
１０    スロットマシン
１１    筐体
１２    表示窓
１３    図柄表示窓
１６    ベットスイッチ
１７    精算スイッチ
３０    スタートスイッチ
４０    回転リール
４２    リールテープ
４３    第１リール
４４    第２リール
４５    第３リール
４６    第４リール
５０    ストップスイッチ
６０    リールユニット
６１    図柄
１００  メダル投入口
１０１  メイン基板
１０２  サブ基板
１０３  リールユニット
１０４  ケーブル
１０５  コネクタ
１０６  電源端子板
１１０  電源ユニット
１１１  ホッパーユニット
１１２  メダルセレクタ
１１３  スイッチ類
１１４  コネクタ
１１５  コネクタブラケット
１１６  電源供給端子板
２００  検査治具
２１０  電源ユニット
２１５  コネクタブラケット
２１６  電源供給端子板